(57)【要約】【課題】狭小スペースに建物用設備を設置しようとする場合でも、容易に化粧用カバーを取り付けることができる建物用設備の化粧用カバー取付構造を提供する。【解決手段】略箱形の建物用設備としての蓄電池ユニット２は、下横辺ブラケット２１，２１と、奥側縦辺ブラケット２２，２２とを予め有し、蓄電池ユニット２に手前側縦辺ブラケット２３，２３が着脱可能に固定されており、奥側縦辺ブラケット２２と手前側縦辺ブラケット２３とに跨って、化粧用側面カバー材１１が着脱可能に固定されており、蓄電池ユニット２の両側面側に設けられた化粧用側面カバー材１１，１１の上辺間に跨って、化粧用上面カバー材１２が着脱可能に固定されており、化粧用側面カバー材１１，１１及び化粧用上面カバー材１２で形成される手前側の開口部を塞いで、化粧用手前側面カバー材１３が着脱可能に固定された構成とされている。【選択図】図７
2015153508.tif 000002
【特許請求の範囲】
【請求項１】
略箱形の建物用設備を、化粧用カバーを取り付けた状態で建物内に設置する化粧用カバー取付構造であって、
略箱形の前記建物用設備は、側面下辺に沿って設けられ側方へ突出する下横辺ブラケットと、側面奥側辺に沿って設けられ側方へ突出する奥側縦辺ブラケットとを予め有し、
前記建物用設備の側面手前側辺に沿って設けられ側方へ突出するように手前側縦辺ブラケットが着脱可能に固定されており、
前記奥側縦辺ブラケットと前記手前側縦辺ブラケットとに跨って、化粧用側面カバー材が着脱可能に固定されており、
前記建物用設備の両側面側に設けられた前記化粧用側面カバー材の上辺間に跨って、化粧用上面カバー材が着脱可能に固定されており、
前記化粧用側面カバー材及び前記化粧用上面カバー材で形成される手前側の開口部を塞いで、化粧用手前側面カバー材が着脱可能に固定されていることを特徴とする建物用設備の化粧用カバー取付構造。
【請求項２】
前記下横辺ブラケットには、孔が設けられており、当該孔にネジが貫通して前記建物に固定されていることを特徴とする請求項１に記載の建物用設備の化粧用カバー取付構造。
【請求項３】
前記化粧用側面カバー材により、前記下横辺ブラケットが隠蔽されることを特徴とする請求項２に記載の建物用設備の化粧用カバー取付構造。
【請求項４】
前記手前側縦辺ブラケット、前記化粧用側面カバー材、前記化粧用上面カバー材及び前記化粧用手前側面カバー材の少なくとも１つと、これが固定される対象箇所とは、一方に設けた爪と、他方に設けた引掛孔との引掛結合により、着脱可能に固定されていることを特徴とする請求項１乃至３のいずれか１項に記載の建物用設備の化粧用カバー取付構造。
【請求項５】
前記化粧用手前側面カバー材には、操作用開口が形成されており、当該操作用開口は着脱可能な蓋体により塞がれていることを特徴とする請求項１乃至４のいずれか１項に記載の建物用設備の化粧用カバー取付構造。
【請求項６】
略箱形の前記建物用設備は、略箱形のケーシング内に蓄電池を内蔵して成る蓄電池ユニットであることを特徴とする請求項１乃至５のいずれか１項に記載の建物用設備の化粧用カバー取付構造。
【請求項７】
請求項１乃至６のいずれか１項に記載の建物用設備の化粧用カバー取付構造とするための建物用設備の化粧用カバー取付方法であって、
略箱形の前記建物用設備を前記建物の所定の位置に載置する工程と、
前記下横辺ブラケットを前記建物に固定する工程と、
前記手前側縦辺ブラケットを前記建物用設備の側面手前側辺に沿って設けられ側方へ突出するように着脱可能に固定する工程と、
前記建物用設備の両側面側に、前記化粧用側面カバー材を前記奥側縦辺ブラケットと前記手前側縦辺ブラケットとに跨って着脱可能に固定する工程と、
前記化粧用上面カバー材を前記建物用設備の両側面側に設けられた前記化粧用側面カバー材の上辺間に跨って着脱可能に固定する工程と、
前記化粧用手前側面カバー材を前記化粧用側面カバー材及び前記化粧用上面カバー材で形成される手前側の開口部を塞いで着脱可能に固定する工程と、
から成ることを特徴とする建物用設備の化粧用カバー取付方法。
【発明の詳細な説明】
【技術分野】
【０００１】
本発明は、蓄電池ユニット等の建物用設備を、化粧用カバーを取り付けた状態で建物内に設置する建物用設備の化粧用カバー取付構造、及び取付方法に関するものである。
【背景技術】
【０００２】
従来から、蓄電池ユニット等の建物用設備を、建物内に設置することは知られており、実施に供されている（特許文献１等を参照）。
【先行技術文献】
【特許文献】
【０００３】
【特許文献１】特許第５３３７３１５号公報
【発明の概要】
【発明が解決しようとする課題】
【０００４】
蓄電池ユニット等には配線や電子基板等が付随しており、顧客がこれらに容易に触れないように、また美観を考慮して、蓄電池ユニット等を覆う化粧用カバーを設けるのが通例である。しかしながら、デッドスペースを活用するため、収納部内等の狭小な空間に蓄電池ユニット等を設置しようとする場合、周囲に充分な作業空間がないため、化粧用カバーの取付が困難であった。
【０００５】
そこで、本発明は、狭小スペースに建物用設備を設置しようとする場合でも、容易に化粧用カバーを取り付けることができる建物用設備の化粧用カバー取付構造、及び取付方法を提供することを目的としている。
【課題を解決するための手段】
【０００６】
前記目的を達成するために、本発明の建物用設備の化粧用カバー取付構造は、略箱形の建物用設備を、化粧用カバーを取り付けた状態で建物内に設置する化粧用カバー取付構造であって、略箱形の前記建物用設備は、側面下辺に沿って設けられ側方へ突出する下横辺ブラケットと、側面奥側辺に沿って設けられ側方へ突出する奥側縦辺ブラケットとを予め有し、前記建物用設備の側面手前側辺に沿って設けられ側方へ突出するように手前側縦辺ブラケットが着脱可能に固定されており、前記奥側縦辺ブラケットと前記手前側縦辺ブラケットとに跨って、化粧用側面カバー材が着脱可能に固定されており、前記建物用設備の両側面側に設けられた前記化粧用側面カバー材の上辺間に跨って、化粧用上面カバー材が着脱可能に固定されており、前記化粧用側面カバー材及び前記化粧用上面カバー材で形成される手前側の開口部を塞いで、化粧用手前側面カバー材が着脱可能に固定されていることを特徴とする。
【０００７】
ここで、前記下横辺ブラケットには、孔が設けられており、当該孔にネジが貫通して前記建物に固定されているとよい。
【０００８】
さらに、前記化粧用側面カバー材により、前記下横辺ブラケットが隠蔽されるとよい。
【０００９】
また、前記手前側縦辺ブラケット、前記化粧用側面カバー材、前記化粧用上面カバー材及び前記化粧用手前側面カバー材の少なくとも１つと、これが固定される対象箇所とは、一方に設けた爪と、他方に設けた引掛孔との引掛結合により、着脱可能に固定されているとよい。
【００１０】
さらに、前記化粧用手前側面カバー材には、操作用開口が形成されており、当該操作用開口は着脱可能な蓋体により塞がれているとよい。
【００１１】
また、略箱形の前記建物用設備は、略箱形のケーシング内に蓄電池を内蔵して成る蓄電池ユニットであるとよい。
【００１２】
本発明の建物用設備の化粧用カバー取付方法は、上記した本発明の建物用設備の化粧用カバー取付構造とするための建物用設備の化粧用カバー取付方法であって、略箱形の前記建物用設備を前記建物の所定の位置に載置する工程と、前記下横辺ブラケットを前記建物に固定する工程と、前記手前側縦辺ブラケットを前記建物用設備の側面手前側辺に沿って設けられ側方へ突出するように着脱可能に固定する工程と、前記建物用設備の両側面側に、前記化粧用側面カバー材を前記奥側縦辺ブラケットと前記手前側縦辺ブラケットとに跨って着脱可能に固定する工程と、前記化粧用上面カバー材を前記建物用設備の両側面側に設けられた前記化粧用側面カバー材の上辺間に跨って着脱可能に固定する工程と、前記化粧用手前側面カバー材を前記化粧用側面カバー材及び前記化粧用上面カバー材で形成される手前側の開口部を塞いで着脱可能に固定する工程と、から成ることを特徴とする。
【発明の効果】
【００１３】
このような本発明の建物用設備の化粧用カバー取付構造は、略箱形の建物用設備を、化粧用カバーを取り付けた状態で建物内に設置する化粧用カバー取付構造である。
【００１４】
そして、略箱形の建物用設備は、側面下辺に沿って設けられ側方へ突出する下横辺ブラケットと、側面奥側辺に沿って設けられ側方へ突出する奥側縦辺ブラケットとを予め有し、建物用設備の側面手前側辺に沿って設けられ側方へ突出するように手前側縦辺ブラケットが着脱可能に固定されており、奥側縦辺ブラケットと手前側縦辺ブラケットとに跨って、化粧用側面カバー材が着脱可能に固定されており、建物用設備の両側面側に設けられた化粧用側面カバー材の上辺間に跨って、化粧用上面カバー材が着脱可能に固定されており、化粧用側面カバー材及び化粧用上面カバー材で形成される手前側の開口部を塞いで、化粧用手前側面カバー材が着脱可能に固定された構成とされている。
【００１５】
上記した構成なので、略箱形の建物用設備の突出部を化粧用カバーで覆い隠して見栄えの良いものとすることができる。
【００１６】
そのうえ、手前側のみから組立作業を行うことができるため、略箱形の建物用設備よりも若干大きい程度の狭い収納部内等であっても、略箱形の建物用設備に、化粧用カバーを容易に取り付けることができる。
【００１７】
ここで、下横辺ブラケットには、孔が設けられており、孔にネジが貫通して建物に固定されている場合は、ネジをとめるだけで、建物用設備を建物に簡易に固定することができるうえに、ネジをはずせば、建物用設備を設置箇所から撤去することもできる。
【００１８】
さらに、化粧用側面カバー材により、下横辺ブラケットが隠蔽される場合は、ネジ止めされた部分が隠蔽されて、さらに見栄えの良いものとすることができる。
【００１９】
また、手前側縦辺ブラケット、化粧用側面カバー材、化粧用上面カバー材及び化粧用手前側面カバー材の少なくとも１つと、これが固定される対象箇所とは、一方に設けた爪と、他方に設けた引掛孔との引掛結合により、着脱可能に固定されている場合は、化粧用カバーの組立と分解を容易に行うことができる。
【００２０】
さらに、化粧用手前側面カバー材には、操作用開口が形成されており、操作用開口は着脱可能な蓋体により塞がれている場合は、例えば、建物用設備が蓄電池ユニット等の際は、化粧用カバーを分解しなくても、蓋体を取り外すだけで、操作用開口からブレーカーのスイッチのオン・オフ等の操作をすることができる。
【００２１】
また、略箱形の建物用設備は、略箱形のケーシング内に蓄電池を内蔵して成る蓄電池ユニットである場合は、蓄電池ユニットの突出部となる蓄電池同士を繋ぐ配線や制御装置等を、化粧用カバーで覆い隠して見栄えの良いものとすることができる。
【００２２】
このような本発明の建物用設備の化粧用カバー取付方法は、上記した本発明の建物用設備の化粧用カバー取付構造とするための建物用設備の化粧用カバー取付方法である。
【００２３】
そして、略箱形の建物用設備を建物の所定の位置に載置する工程と、下横辺ブラケットを建物に固定する工程と、手前側縦辺ブラケットを建物用設備の側面手前側辺に沿って設けられ側方へ突出するように着脱可能に固定する工程と、建物用設備の両側面側に、化粧用側面カバー材を奥側縦辺ブラケットと手前側縦辺ブラケットとに跨って着脱可能に固定する工程と、化粧用上面カバー材を建物用設備の両側面側に設けられた化粧用側面カバー材の上辺間に跨って着脱可能に固定する工程と、化粧用手前側面カバー材を化粧用側面カバー材及び化粧用上面カバー材で形成される手前側の開口部を塞いで着脱可能に固定する工程と、から成る構成とされている。
【００２４】
上記した構成なので、手前側のみから組立作業を行うことができるため、略箱形の建物用設備よりも若干大きい程度の狭い収納部内等であっても、略箱形の建物用設備に、化粧用カバーを容易に取り付けることができる。
【図面の簡単な説明】
【００２５】
【図１】実施例の建物用設備の化粧用カバー取付構造の概略構成を説明する説明図である。
【図２】実施例の建物用設備の化粧用カバー取付構造の施工段階を示す工程図である。
【図３】図２を斜め後ろから見た説明図である。
【図４】図３におけるＡ部拡大図である。
【図５】実施例の建物用設備の化粧用カバー取付構造の施工段階を示す工程図である。
【図６】実施例の建物用設備の化粧用カバー取付構造の施工段階を示す工程図である。
【図７】実施例の建物用設備の化粧用カバー取付構造の施工段階を示す工程図である。
【図８】実施例の建物用設備の化粧用カバー取付構造の施工段階を示す工程図である。
【図９】実施例の建物用設備の化粧用カバー取付構造の施工段階を示す工程図である。
【図１０】実施例の建物用設備の化粧用カバー取付構造の設置形態の一例を示す説明図である。
【発明を実施するための形態】
【００２６】
以下、本発明を実施するための形態を、図面に示す実施例に基づいて説明する。
【実施例】
【００２７】
先ず、実施例の構成について説明する。
【００２８】
図１は、実施例の建物用設備の化粧用カバー取付構造の概略構成を示している。
【００２９】
なお、この図１では、建物の床部３に、略箱形の建物用設備としての蓄電池ユニット２を、化粧用カバー１で覆って取り付け終わった状態を示している。
【００３０】
次に、この実施例の建物用設備の化粧用カバー取付方法を説明しながら、この実施例の建物用設備の化粧用カバー取付構造の詳細について説明する。
【００３１】
まず、図２に示したように、建物の床部３の蓄電池ユニット２の設置予定位置に、蓄電池ユニット２を載置する。
【００３２】
ここで、蓄電池ユニット２は、図示省略の蓄電池が内蔵されたケーシング２０の左右の側面に、側面下辺に沿って設けられ側方へ突出する下横辺ブラケット２１と、側面奥側辺に沿って設けられ側方へ突出する奥側縦辺ブラケット２２とをそれぞれ予め有している。
【００３３】
また、蓄電池ユニット２のケーシング２０の左右の側面には、側面手前側辺に沿って設けられ側方へ突出する手前側縦辺ブラケット２３もそれぞれ設けられている。
【００３４】
ここで、この手前側縦辺ブラケット２３は、図３及び図４に示したように、背面に設けられた下向きの爪２３ａ，２３ａが、蓄電池ユニット２のケーシング２０の側面手前側辺の若干内側位置から側方へ突出するように設けられたリップ部２４の引掛孔２４ａ，２４ａに引掛結合され、着脱可能に固定されている。
【００３５】
また、手前側縦辺ブラケット２３には、爪２３ａ，２３ａの外側位置に、リップ部２４の外縁と接する補助爪２３ｂ，２３ｂも設けられており、手前側縦辺ブラケット２３のガタツキを防止するようになっている。
【００３６】
さらに、手前側縦辺ブラケット２３の内側縁部近傍には、図示省略の孔が設けられており、この孔とリップ部２４に設けた孔２４ｂ，・・・とを貫通してネジ４，・・・がねじ込まれて、蓄電池ユニット２に手前側縦辺ブラケット２３，２３がより強固に固定されている。
【００３７】
なお、この図２に示した状態のままでは、蓄電池ユニット２の特に手前側に、ケーシング２０の外に蓄電池同士を繋ぐ配線５１や制御装置５２やブレーカー５３等が突出していて見栄えが良くない。
【００３８】
続いて、図５に示したように、ネジ４，・・・を外し、爪２３ａ，２３ａと引掛孔２４ａ，２４ａとの引掛結合を解除して、蓄電池ユニット２から手前側縦辺ブラケット２３，２３を取り外す。
【００３９】
その後、下横辺ブラケット２１に設けられた孔２１ａ，・・・に貫通するようにネジ６をねじ込んで建物の床部３に蓄電池ユニット２を固定する。
【００４０】
そして、図６に示したように、爪２３ａ，２３ａと引掛孔２４ａ，２４ａとを引掛結合し、ネジ４，・・・を取り付けて、手前側縦辺ブラケット２３を、蓄電池ユニット２のケーシング２０の左右の側面に、側面手前側辺に沿って設けられ側方へそれぞれ突出した状態に戻す。
【００４１】
続いて、図７に示したように、蓄電池ユニット２の左右両側面側に、化粧用側面カバー材１１を奥側縦辺ブラケット２２と手前側縦辺ブラケット２３とに跨って取り付ける。
【００４２】
ここで、化粧用側面カバー材１１は、手前側の外縁部に設けられた下向きの爪１１ａ，１１ａ，１１ａが、手前側縦辺ブラケット２３の外縁部近傍に設けられた引掛孔２３ｃ，２３ｃ，２３ｃに引掛結合され、奥側の外縁部に設けられた下向きの爪１１ｂ，１１ｂ，１１ｂが、奥側縦辺ブラケット２２の外縁部近傍に設けられた引掛孔２２ａ，２２ａ，２２ａに引掛結合されて、着脱可能に固定されている。
【００４３】
続いて、図８に示したように、化粧用上面カバー材１２を蓄電池ユニット２の左右両側面側に設けられた化粧用側面カバー材１１，１１の上辺間に跨って取り付ける。
【００４４】
ここで、化粧用上面カバー材１２は、左右両側縁部下方に設けられた奥向きの爪１２ａ，・・・が、化粧用側面カバー材１１，１１の上端面に設けられた引掛孔１１ｄ，・・・に引掛結合されて、着脱可能に固定されている。
【００４５】
さらに、化粧用上面カバー材１２の手前側面の左右両端から垂下した垂下部１２１，１２１が、手前側縦辺ブラケット２３及び化粧用側面カバー材１１の上端裏面に挿入され、これらに設けられた孔１１ｃ，２３ｄ，１２ｂを貫通してネジ７がそれぞれねじ込まれて、化粧用側面カバー材１１，１１の上辺間に化粧用上面カバー材１２がより強固に固定されている。
【００４６】
続いて、図９に示したように、化粧用手前側面カバー材１３を化粧用側面カバー材１１，１１及び化粧用上面カバー材１２で形成される手前側の開口部を塞いで取り付ける。
【００４７】
ここで、化粧用手前側面カバー材１３は、手前側縦辺ブラケット２３，２３の外側縁部に設けられた上向きの爪２３ｅ，・・・が、奥側縁部に設けられた引掛孔１３ａ，・・・に引掛結合されて、着脱可能に固定されている。
【００４８】
そして最後に、化粧用手前側面カバー材１３のブレーカー５３のスイッチ５３１の手前側に位置する操作用開口１３ｂを、蓋体１４で塞ぎ、この蓋体１４に設けられた孔１４ａと、ブレーカー５３のスイッチ５３１の横に設けられた孔５３ａとを貫通して、ネジ８がねじ込まれて、蓋体１４が着脱可能とされて、図１に示したような実施例の建物用設備の化粧用カバー取付構造が完成する。
【００４９】
次に、実施例の作用効果について説明する。
【００５０】
このような実施例の建物用設備の化粧用カバー取付構造は、略箱形の建物用設備としての蓄電池ユニット２を、化粧用カバー１を取り付けた状態で建物の床部３に設置する化粧用カバー取付構造である。
【００５１】
そして、蓄電池ユニット２は、側面下辺に沿って設けられ側方へ突出する下横辺ブラケット２１，２１と、側面奥側辺に沿って設けられ側方へ突出する奥側縦辺ブラケット２２，２２とを予め有し、蓄電池ユニット２の側面手前側辺に沿って設けられ側方へ突出するように手前側縦辺ブラケット２３，２３が着脱可能に固定されており、奥側縦辺ブラケット２２と手前側縦辺ブラケット２３とに跨って、化粧用側面カバー材１１が着脱可能に固定されており、蓄電池ユニット２の両側面側に設けられた化粧用側面カバー材１１，１１の上辺間に跨って、化粧用上面カバー材１２が着脱可能に固定されており、化粧用側面カバー材１１，１１及び化粧用上面カバー材１２で形成される手前側の開口部を塞いで、化粧用手前側面カバー材１３が着脱可能に固定された構成とされている。
【００５２】
上記した構成なので、略箱形の建物用設備としての蓄電池ユニット２の突出部となる蓄電池同士を繋ぐ配線５１や制御装置５２やブレーカー５３等を化粧用カバー１で覆い隠して見栄えの良いものとすることができる。
【００５３】
そのうえ、手前側のみから組立作業を行うことができるため、図１０に示したように、略箱形の建物用設備としての蓄電池ユニット２よりも若干大きい程度の狭い収納部９内等であっても、蓄電池ユニット２に、化粧用カバー１を容易に取り付けることができる。
【００５４】
ここで、下横辺ブラケット２１，２１には、孔２１ａ，・・・が設けられており、孔２１ａ，・・・にネジ６，・・・が貫通して建物の床部３に固定されている。
【００５５】
このため、ネジ６，・・・をとめるだけで、建物用設備としての蓄電池ユニット２を建物の床部３に簡易に固定することができるうえに、ネジ６，・・・をはずせば、蓄電池ユニット２を設置箇所から撤去することもできる。
【００５６】
さらに、化粧用側面カバー材１１により、下横辺ブラケット２１が隠蔽されるので、ネジ止めされた部分が隠蔽されて、さらに見栄えの良いものとすることができる。
【００５７】
また、手前側縦辺ブラケット２３、化粧用側面カバー材１１，１１、化粧用上面カバー材１２及び化粧用手前側面カバー材１３と、これが固定される対象箇所とは、一方に設けた爪２３ａ，１１ａ，１１ｂ，１２ａ，２３ｅと、他方に設けた引掛孔２４ａ，２３ｃ，２２ａ，１１ｄ，１３ａとの引掛結合により、着脱可能に固定されている。
【００５８】
このため、化粧用カバー１の組立と分解を容易に行うことができる。
【００５９】
さらに、化粧用手前側面カバー材１３には、操作用開口１３ｂが形成されており、操作用開口１３ｂは着脱可能な蓋体１４により塞がれている。
【００６０】
このため、化粧用カバー１を分解しなくても、蓋体１４を取り外すだけで、操作用開口１３ｂからブレーカー５３のスイッチ５３１のオン・オフの操作をすることができる。
【００６１】
このような実施例の建物用設備の化粧用カバー取付方法は、上記した実施例の建物用設備の化粧用カバー取付構造とするための建物用設備の化粧用カバー取付方法である。
【００６２】
そして、略箱形の建物用設備としての蓄電池ユニット２を建物の床部３の設置予定位置に載置する工程と、下横辺ブラケット２１，２１を建物の床部３に固定する工程と、手前側縦辺ブラケット２３，２３を蓄電池ユニット２の側面手前側辺に沿って設けられ側方へ突出するように着脱可能に固定する工程と、蓄電池ユニット２の両側面側に、化粧用側面カバー材１１を奥側縦辺ブラケット２２と手前側縦辺ブラケット２３とに跨って着脱可能に固定する工程と、化粧用上面カバー材１２を蓄電池ユニット２の両側面側に設けられた化粧用側面カバー材１１，１１の上辺間に跨って着脱可能に固定する工程と、化粧用手前側面カバー材１３を化粧用側面カバー材１１，１１及び化粧用上面カバー材１２で形成される手前側の開口部を塞いで着脱可能に固定する工程と、から成る構成とされている。
【００６３】
上記した構成なので、手前側のみから組立作業を行うことができるため、既に述べたように、図１０に示したような略箱形の建物用設備としての蓄電池ユニット２よりも若干大きい程度の狭い収納部９内等であっても、蓄電池ユニット２に、化粧用カバー１を容易に取り付けることができる。
【００６４】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００６５】
例えば、上記した実施例では、略箱形の建物用設備として、蓄電池ユニット２を用いて実施したが、これに限定されず、例えば、サーバー本体や空調装置本体等を用いて実施してもよい。
【００６６】
また、上記した実施例では、略箱形の建物用設備としての蓄電池ユニット２を建物の床部３に設置して実施したが、これに限定されず、例えば、建物内の棚の上等に設置して実施してもよい。
【００６７】
また、上記した実施例では、略箱形の建物用設備としての蓄電池ユニット２を建物の床部３に固定して設置するために、ネジ６，・・・を用いて実施したが、これに限定されず、例えば、粘着テープ等を用いて実施してもよい。
【００６８】
さらに、上記した実施例では、手前側縦辺ブラケット２３が固定された状態から施工して実施したが、これに限定されず、手前側縦辺ブラケット２３を取り外した状態から施工して実施してもよい。
【符号の説明】
【００６９】
１      化粧用カバー
１１    化粧用側面カバー材
１１ａ  爪
１１ｂ  爪
１１ｃ  孔
１１ｄ  引掛孔
１２    化粧用上面カバー材
１２１  垂下部
１２ａ  爪
１２ｂ  孔
１３    化粧用手前側面カバー材
１３ａ  引掛孔
１３ｂ  操作用開口
１４    蓋体
１４ａ  孔
２      蓄電池ユニット（建物用設備）
２０    ケーシング
２１    下横辺ブラケット
２１ａ  孔
２２    奥側縦辺ブラケット
２２ａ  引掛孔
２３    手前側縦辺ブラケット
２３ａ  爪
２３ｂ  補助爪
２３ｃ  引掛孔
２３ｄ  孔
２３ｅ  爪
２４    リップ部
２４ａ  引掛孔
２４ｂ  孔
３      建物の床部
４      ネジ
５１    配線
５２    制御装置
５３    ブレーカー
５３１  スイッチ
５３ａ  孔
６      ネジ
７      ネジ
８      ネジ
９      収納部
【図１】
2015153508.tif 000003
【図２】
2015153508.tif 000004
【図３】
2015153508.tif 000005
【図４】
2015153508.tif 000006
【図５】
2015153508.tif 000007
【図６】
2015153508.tif 000008
【図７】
2015153508.tif 000009
【図８】
2015153508.tif 000010
【図９】
2015153508.tif 000011
【図１０】
2015153508.tif 000012